(57)【要約】【課題】  複数のコンテンツビューをディスプレイしつつ、視聴者の満足度を向上させるディスプレイ装置、メガネ装置およびこれらを含むディスプレイシステムとそのディスプレイ方法を提供する。【解決手段】  ディスプレイ装置が開示される。本装置は、複数のコンテンツを受信する複数の受信部と、複数のコンテンツを各々処理する信号処理部と、複数のコンテンツビューをディスプレイする出力部と、複数のメガネ装置からメガネ特性情報を受信するインターフェース部と、同期化信号を生成してインターフェース部を介して複数のメガネ装置に伝送する同期化信号生成部と、受信されたメガネ特性情報を保存する保存部と、複数のコンテンツをメガネ特性情報に応じて処理して出力するように信号処理部および出力部を制御する制御部とを含む。それにより、メガネ装置に合った画質を提供することができる。【選択図】  図１
2013141224.tif 000002
【特許請求の範囲】
【請求項１】
複数のコンテンツを受信する複数の受信部と、
前記複数のコンテンツを各々処理して映像フレームを構成するための信号処理部と、
各コンテンツの映像フレームを組み合わせて複数のコンテンツビューをディスプレイする出力部と、
前記複数のコンテンツビューと前記複数のメガネ装置を同期化させるための同期化信号を生成する同期化信号生成部と、
前記同期化信号を前記複数のメガネ装置に伝送するインターフェース部と、
メガネ特性情報を保存する保存部と、
前記メガネ特性情報に応じて前記複数のコンテンツを処理するように、前記信号処理部を制御する制御部と
を含むディスプレイ装置。
【請求項２】
前記制御部は、
新規のメガネ装置が追加されると、前記新規のメガネ装置にメガネ特性情報を要求して受信することを特徴とする請求項１に記載のディスプレイ装置。
【請求項３】
前記インターフェース部は、前記複数のメガネ装置とペアリングを行い、
前記制御部は、複数のメガネ装置がペアリングされると、ペアリング順に応じて前記複数のメガネ装置と前記複数のコンテンツビューを順次にマッチすることを特徴とする請求項１に記載のディスプレイ装置。
【請求項４】
前記制御部は、
前記メガネ特性情報に応じて各コンテンツの映像フレームのホワイトバランス、コントラスト、輝度、カラー、光波長、光強度のうち、少なくとも何れか１つを調整する処理を行うことを特徴とする請求項１に記載のディスプレイ装置。
【請求項５】
前記複数のコンテンツの各々は、２Ｄコンテンツまたは３Ｄコンテンツであることを特徴とする請求項１に記載のディスプレイ装置。
【請求項６】
前記制御部は、
複数のメガネ装置のうち、少なくとも何れか１つのメガネ装置がターンオフされると、前記ターンオフされたメガネ装置に対応するコンテンツビューに非活性画面を出力するように、前記信号処理部および前記出力部を制御することを特徴とする請求項１に記載のディスプレイ装置。
【請求項７】
前記保存部は、前記ディスプレイ装置の駆動情報を更に保存し、
前記制御部は、
前記駆動情報および前記メガネ特性情報を用いて、前記複数のコンテンツビューと前記複数のメガネ装置を同期化させるための同期化信号を生成して前記複数のメガネ装置の各々に伝送するように、前記同期化信号生成部および前記インターフェース部を制御することを特徴とする請求項１に記載のディスプレイ装置。
【請求項８】
前記制御部は、
前記複数のコンテンツビューの映像フレームを各々奇数ラインフレームおよび偶数ラインフレームに区分し、１つのコンテンツビュー内で交互にディスプレイし、奇数ラインフレームおよび偶数ラインフレームの何れか一方がディスプレイされる間、もう１つのフレームをディスプレイパネルにスキャンするように、前記信号処理部および前記出力部を制御することを特徴とする請求項７に記載のディスプレイ装置。
【請求項９】
前記制御部は、
前記駆動情報を用いて１つのコンテンツビュー内で、前記奇数ラインフレームおよび前記偶数ラインフレームがディスプレイされる間、前記コンテンツビューにマッチするメガネ装置が駆動されるようにディレイタイムおよびデューティを決定し、決定されたディレイタイムおよびデューティに対する情報を含む同期化信号を生成するように、前記同期化信号生成部を制御することを特徴とする請求項８に記載のディスプレイ装置。
【請求項１０】
前記制御部は、
前記複数のコンテンツビューのうち、以前のコンテンツビューの映像フレームがディスプレイされる間、次のコンテンツビューの映像フレームデータをスキャンし、前記以前のコンテンツビューの映像フレームディスプレイが終了すると、スキャンされた次のコンテンツビューの映像フレームをディスプレイするように、前記出力部を制御することを特徴とする請求項７に記載のディスプレイ装置。
【請求項１１】
前記制御部は、
前記駆動情報を用いて各コンテンツビューの映像フレームがディスプレイされる間、当該コンテンツビューにマッチするメガネ装置が駆動されるようにディレイタイムおよびデューティを決定し、決定されたディレイタイムおよびデューティに対する情報を含む同期化信号を生成するように、前記同期化信号生成部を制御することを特徴とする請求項１０に記載のディスプレイ装置。
【請求項１２】
前記同期化信号生成部は、
複数の同期化周期毎に各メガネ装置の固有情報、各メガネ装置の駆動状態を制御するための駆動制御情報を含む同期化信号を生成して前記インターフェース部を介して伝送することを特徴とする請求項７に記載のディスプレイ装置。
【請求項１３】
ディスプレイ装置のディスプレイ方法において、
複数のコンテンツを受信するステップと、
複数のメガネ装置からメガネ特性情報を受信するステップと、
前記複数のコンテンツを各メガネ装置のメガネ特性情報に応じて処理して映像フレームを構成するステップと、
各コンテンツの映像フレームを組み合わせて複数のコンテンツビューをディスプレイするステップと
を含むディスプレイ方法。
【請求項１４】
複数のコンテンツビューを提供するディスプレイ装置と連動するメガネ装置において、
第１シャッタグラス部と、
第２シャッタグラス部と、
前記ディスプレイ装置から同期化信号を受信するインターフェース部と、
前記同期化信号に応じて前記第１および第２シャッタグラス部を駆動させるシャッタグラス駆動部と、
メガネ特性情報が保存される保存部と、
前記メガネ特性情報を前記インターフェース部を介して前記ディスプレイ装置に伝送する制御部と
を含むメガネ装置。
【請求項１５】
ディスプレイシステムにおいて、
マルチビューモードが開始されると、複数のコンテンツを受信して各コンテンツの映像フレームを組み合わせて複数のコンテンツビューをディスプレイするディスプレイ装置と、
前記複数のコンテンツビューのうち、マッチするコンテンツビューの出力タイミングに同期化されて駆動される少なくとも１つのメガネ装置と
を含み、
前記ディスプレイ装置は、前記少なくとも１つのメガネ装置のメガネ特性情報を用いて、前記少なくとも１つのメガネ装置にマッチするコンテンツビューのコンテンツを処理するディスプレイシステム。
【発明の詳細な説明】
【技術分野】
【０００１】
本発明は、ディスプレイ装置、メガネ装置およびこれらを含むディスプレイシステムとそのディスプレイ方法に関し、より詳細には、複数のコンテンツビューをディスプレイするディスプレイ装置、メガネ装置およびこれらを含むディスプレイシステムとそのディスプレイ方法に関する。
【背景技術】
【０００２】
電子技術の発達により、多様な電子製品が開発および普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化し、従来にはない新たな機能を備えた製品が登場しつつある。
【０００４】
それにより、ディスプレイ装置で処理されるコンテンツも多様に提供されている。特に、最近では、高解像度コンテンツや３Ｄコンテンツのようにデータサイズが大きいコンテンツも提供されている。
【０００５】
３Ｄコンテンツをディスプレイするために、ディスプレイ装置はシャッタグラス方式や偏光方式等のように多様な形態で実現される。
【０００６】
シャッタグラス方式の場合、ディスプレイ装置は左眼映像および右眼映像を交互に配置してディスプレイする。ユーザは、左眼シャッタグラスおよび右眼シャッタグラスを備えた３Ｄメガネ装置を着用し、３Ｄコンテンツを視聴する。３Ｄメガネ装置は、左眼映像と右眼映像の駆動タイミングに合わせて左眼シャッタグラスおよび右眼シャッタグラスを交互にオープンさせる。
【０００７】
３Ｄコンテンツをディスプレイするために、ディスプレイ装置は従来のディスプレイ装置に比べて多様な構成が追加的により多く含まれなければならない。従って、ディスプレイ装置に追加された構成をより多様に応用しようとする試みが行われている。
【０００８】
しかし、上述のディスプレイ装置は、メガネ装置と連動して動作するようになるため、メガネ装置の特性がディスプレイ装置と合わない場合、視聴が不可になったり、最適な視聴画質を提供することができないという問題があった。特に、ディスプレイ装置の製造メーカ毎にメガネ駆動方式が異なると、或るメーカのメガネ装置では他メーカのディスプレイ装置を視聴することができない場合も生じていた。結果的に、ディスプレイ装置を多様な方式で応用するのに制約があった。
【０００９】
それにより、ディスプレイ装置をより多様に活用しつつ、ユーザの満足度を高めることができる技術の必要性が出てきた。
【先行技術文献】
【特許文献】
【００１０】
【特許文献１】日本特開第２０１０−００２０２９０号公報
【特許文献２】韓国特開第２０１１−０１１００２２号公報
【特許文献３】日本特開第２０１０−００６２７６７号公報
【発明の概要】
【発明が解決しようとする課題】
【００１１】
そこで、本発明は、上記問題に鑑みてなされたものであり、本発明の目的とするところは、複数のコンテンツビューをディスプレイしつつ、視聴者の満足度を向上させるディスプレイ装置、メガネ装置およびこれらを含むディスプレイシステムとそのディスプレイ方法を提供することにある。
【課題を解決するための手段】
【００１２】
このような目的を達成するための本発明の一実施形態に係るディスプレイ装置は、複数のコンテンツを受信する複数の受信部と、前記複数のコンテンツを各々処理して映像フレームを構成するための信号処理部と、各コンテンツの映像フレームを組み合わせて複数のコンテンツビューをディスプレイする出力部と、前記複数のコンテンツビューと前記複数のメガネ装置を同期化させるための同期化信号を生成する同期化信号生成部と、前記同期化信号を前記複数のメガネ装置に伝送するインターフェース部と、メガネ特性情報を保存する保存部と、前記メガネ特性情報に応じて前記複数のコンテンツを処理するように、前記信号処理部を制御する制御部とを含む。
【００１３】
ここで、前記制御部は、新規のメガネ装置が追加されると、前記新規のメガネ装置にメガネ特性情報を要求して受信してよい。
【００１４】
そして、前記インターフェース部は、前記複数のメガネ装置とペアリングを行い、前記制御部は、複数のメガネ装置がペアリングされると、ペアリング順に応じて前記複数のメガネ装置と前記複数のコンテンツビューを順次にマッチしてよい。
【００１５】
なお、前記制御部は、前記メガネ特性情報に応じて各コンテンツの映像フレームのホワイトバランス、コントラスト、輝度、カラー、光波長、光強度のうち、少なくとも何れか１つを調整する処理を行ってよい。
【００１６】
なお、前記複数のコンテンツの各々は、２Ｄコンテンツまたは３Ｄコンテンツであってよい。
【００１７】
そして、前記制御部は、複数のメガネ装置のうち、少なくとも何れか１つのメガネ装置がターンオフされると、前記ターンオフされたメガネ装置に対応するコンテンツビューに非活性画面を出力するように、前記信号処理部および前記出力部を制御してよい。
【００１８】
または、前記保存部は、前記ディスプレイ装置の駆動情報を更に保存してよい。
【００１９】
この場合、前記制御部は、前記駆動情報および前記メガネ特性情報を用いて、前記複数のコンテンツビューと前記複数のメガネ装置を同期化させるための同期化信号を生成して前記複数のメガネ装置の各々に伝送するように、前記同期化信号生成部および前記インターフェース部を制御してよい。
【００２０】
なお、前記制御部は、前記複数のコンテンツビューの映像フレームを各々奇数ラインフレームおよび偶数ラインフレームに区分し、１つのコンテンツビュー内で交互にディスプレイし、奇数ラインフレームおよび偶数ラインフレームの何れか一方がディスプレイされる間、もう１つのフレームをディスプレイパネルにスキャンするように、前記信号処理部および前記出力部を制御してよい。
【００２１】
なお、前記制御部は、前記駆動情報を用いて１つのコンテンツビュー内で、前記奇数ラインフレームおよび前記偶数ラインフレームがディスプレイされる間、前記コンテンツビューにマッチするメガネ装置が駆動されるようにディレイタイムおよびデューティを決定し、決定されたディレイタイムおよびデューティに対する情報を含む同期化信号を生成するように、前記同期化信号生成部を制御してよい。
【００２２】
そして、前記制御部は、前記複数のコンテンツビューのうち、以前のコンテンツビューの映像フレームがディスプレイされる間、次のコンテンツビューの映像フレームデータをスキャンし、前記以前のコンテンツビューの映像フレームディスプレイが終了すると、スキャンされた次のコンテンツビューの映像フレームをディスプレイするように、前記出力部を制御してよい。
【００２３】
なお、前記制御部は、前記駆動情報を用いて各コンテンツビューの映像フレームがディスプレイされる間、当該コンテンツビューにマッチするメガネ装置が駆動されるようにディレイタイムおよびデューティを決定し、決定されたディレイタイムおよびデューティに対する情報を含む同期化信号を生成するように、前記同期化信号生成部を制御してよい。
【００２４】
そして、前記同期化信号生成部は、複数の同期化周期毎に各メガネ装置の固有情報、各メガネ装置の駆動状態を制御するための駆動制御情報を含む同期化信号を生成して前記インターフェース部を介して伝送してよい。
【００２５】
なお、前記同期化信号生成部は、複数の同期化周期の中で最初の同期化周期に各メガネ装置の固有情報、各メガネ装置の駆動状態を制御するための駆動制御情報を含む同期化信号を生成して前記インターフェース部を介して伝送し、次の同期化周期からは、前記固有情報および前記駆動制御情報を含まない同期化信号を生成して前記インターフェース部を介して伝送してよい。
【００２６】
一方、本発明の一実施形態によると、ディスプレイ装置のディスプレイ方法は、複数のコンテンツを受信するステップと、複数のメガネ装置からメガネ特性情報を受信するステップと、前記複数のコンテンツを各メガネ装置のメガネ特性情報に応じて処理して映像フレームを構成するステップと、各コンテンツの映像フレームを組み合わせて複数のコンテンツビューをディスプレイするステップとを含む。
【００２７】
一方、本発明の一実施形態によると、複数のコンテンツビューを提供するディスプレイ装置と連動するメガネ装置は、第１シャッタグラス部と、第２シャッタグラス部と、前記ディスプレイ装置から同期化信号を受信するインターフェース部と、前記同期化信号に応じて前記第１および第２シャッタグラス部を駆動させるシャッタグラス駆動部と、メガネ特性情報が保存される保存部と、前記メガネ特性情報を前記インターフェース部を介して前記ディスプレイ装置に伝送する制御部とを含む。
【００２８】
なお、本発明の一実施形態に係るディスプレイシステムは、マルチビューモードが開始されると、複数のコンテンツを受信して各コンテンツの映像フレームを組み合わせて複数のコンテンツビューをディスプレイするディスプレイ装置と、前記複数のコンテンツビューのうち、マッチするコンテンツビューの出力タイミングに同期化されて駆動される少なくとも１つのメガネ装置とを含む。
【００２９】
ここで、前記ディスプレイ装置は、前記少なくとも１つのメガネ装置のメガネ特性情報を用いて、前記少なくとも１つのメガネ装置にマッチするコンテンツビューのコンテンツを処理してよい。
【発明の効果】
【００３０】
以上説明したように、本発明によれば、ディスプレイ装置をより多様な方式で利用しつつ、視聴の満足度を向上させることができる。
【図面の簡単な説明】
【００３１】
【図１】本発明の一実施形態に係るディスプレイ装置の構成を示すブロック図である。
【図２】マルチビューモードにおいて複数の３Ｄコンテンツをディスプレイする方法を示す図である。
【図３】マルチビューモードにおいて複数の２Ｄコンテンツをディスプレイする方法を示す図である。
【図４】複数の３Ｄコンテンツに対応するコンテンツビュー構成方法を説明するための図である。
【図５】複数の２Ｄコンテンツに対応するコンテンツビュー構成方法を説明するための図である。
【図６】複数の３Ｄコンテンツをディスプレイするマルチビューモードでメガネ装置がターンオフされた時の処理方法を説明するための図である。
【図７】複数の２Ｄコンテンツをディスプレイするマルチビューモードでメガネ装置がターンオフされた時の処理方法を説明するための図である。
【図８】本発明の一実施形態に係るメガネ装置の構成を示すブロック図である。
【図９】本発明の多様な実施形態に係るディスプレイ方法を説明するためのフローチャートである。
【図１０】本発明の多様な実施形態に係るディスプレイ方法を説明するためのフローチャートである。
【図１１】毎フレームを偶数ラインおよび奇数ラインに区分し、スキャンおよびディスプレイする３Ｄマルチビューモードの第１駆動方式を説明するための図である。
【図１２】フレーム単位でスキャンしてディスプレイする３Ｄマルチビューモードの第２駆動方式を説明するための図である。
【図１３】毎フレームを偶数ラインおよび奇数ラインに区分し、スキャンおよびディスプレイする２Ｄマルチビューモードの第１駆動方式の多様な例を説明するための図である
【図１４】毎フレームを偶数ラインおよび奇数ラインに区分し、スキャンおよびディスプレイする２Ｄマルチビューモードの第１駆動方式の多様な例を説明するための図である
【図１５】フレーム単位でスキャンしてディスプレイする２Ｄマルチビューモードの第２駆動方式の多様な例を説明するための図である。
【図１６】フレーム単位でスキャンしてディスプレイする２Ｄマルチビューモードの第２駆動方式の多様な例を説明するための図である。
【図１７】３つの２Ｄコンテンツのフレームを偶数ラインおよび奇数ラインに区分し、スキャンしてディスプレイする２Ｄマルチビューモードの第１駆動方式の多様な例を説明するための図である。
【図１８】３つの２Ｄコンテンツのフレームを偶数ラインおよび奇数ラインに区分し、スキャンしてディスプレイする２Ｄマルチビューモードの第１駆動方式の多様な例を説明するための図である。
【図１９】３つの２Ｄコンテンツをフレーム単位でスキャンしてディスプレイする２Ｄマルチビューモードの第２駆動方式の多様な例を説明するための図である。
【図２０】３つの２Ｄコンテンツをフレーム単位でスキャンしてディスプレイする２Ｄマルチビューモードの第２駆動方式の多様な例を説明するための図である。
【図２１】４つの２Ｄコンテンツを偶数ラインおよび奇数ラインに区分し、スキャンしてディスプレイする２Ｄマルチビューモードの第１駆動方式を説明するための図である。
【図２２】４つの２Ｄコンテンツをフレーム単位でスキャンしてディスプレイする２Ｄマルチビューモードの第２駆動方式を説明するための図である。
【図２３】同期化信号の伝送方法の多様な例を示す図である。
【図２４】同期化信号の伝送方法の多様な例を示す図である。
【図２５】本発明の多様な実施形態に係るディスプレイ方法を説明するためのフローチャートである。
【発明を実施するための形態】
【００３２】
以下に添付図面を参照しながら、本発明の好適な実施形態について詳細に説明する。
【００３３】
図１は、本発明の一実施形態に係るディスプレイ装置の構成を示すブロック図である。図１のディスプレイ装置１００は、テレビや携帯電話、ＰＤＡ、ノートパソコン、モニタ、タブレットパソコン、電子書籍、デジタルフォトフレーム、コンピュータ・キヨスク等のように、ディスプレイユニットを備えた多様な装置で実現されてよい。
【００３４】
図１によると、ディスプレイ装置１００は、複数の受信部１１０と、信号処理部１２０と、出力部１３０と、同期化信号生成部１４０と、インターフェース部１５０と、保存部１６０及び制御部１７０を含む。
【００３５】
複数の受信部１、２、・・・、ｎ１１０は、異なるソースから各々コンテンツを受信する。ソースは、放送ネットワークを用いて放送番組コンテンツを伝送する放送局であってよく、インターネットを用いてコンテンツファイルを伝送するウェブサーバであってよく、ディスプレイ装置１００内に設けられたり、ディスプレイ装置１００に接続された各種記録媒体再生装置であってよい。記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【００３６】
放送局からコンテンツを受信する実施形態に場合には、各受信部１１０は、チューナと、復調器、等化器、デコーダ（図示せず）等のような構成を含む形態で実現可能である。一方、ウェブサーバのようなソースからコンテンツを受信する実施形態の場合には、複数の受信部１１０は、ネットワークインターフェースカード（図示せず）で実現可能である。または、上述の各種記録媒体再生装置からコンテンツを受信する実施形態の場合には、各受信部１１０は、記録媒体再生装置と接続されたインターフェース（図示せず）で実現されてよい。このように、各受信部１１０は、実施形態に応じて多様な形態で実現されてよい。
【００３７】
なお、各受信部１１０は、必ずしも同様の類型のソースからコンテンツを受信する必要はなく、異なる類型のソースからコンテンツを受信することもできる。例えば、受信部１は、チューナや復調器、等化器、デコーダ等を含む形態で実現され、受信部２はネットワークインターフェースカードで実現されてよい。
【００３８】
信号処理部１２０は、各受信部１１０から受信されたコンテンツを出力可能なデータ形態で処理する。信号処理部１２０は、ＤｅＭＵＸ部（図示せず）や、ビデオ処理部（図示せず）、オーディオ処理部（図示せず）等を含んでよい。ＤｅＭＵＸは、コンテンツからビデオデータおよびオーディオデータを分離する。ビデオ処理部は、分離されたビデオデータに対するデコードを行い、画面のサイズに合わせてスケーリングした後、フレームレートを出力レートに合わせて変換する等の処理を行う。オーディオ処理部は、ＤｅＭＵＸにおいて処理されたオーディオデータをデコードする。
【００３９】
出力部１３０は、ビデオ出力部（図示せず）およびオーディオ出力部（図示せず）を含む。ビデオ出力部は、信号処理部１２０から出力される各コンテンツのビデオデータを組み合わせてディスプレイする。例えば、シャッタグラス方式のディスプレイ装置の場合、ビデオ出力部は第１コンテンツの映像フレームと第２コンテンツの映像フレームを少なくとも１つずつ交互に配置して複数のコンテンツビューを構成してディスプレイする。別の例として、偏光方式のディスプレイ装置である場合、ビデオ出力部は各コンテンツを複数のラインに区分し、区分されたラインを交互に組み合わせて少なくとも１つ以上のマルチコンテンツフレームを構成してディスプレイする。偏光方式の場合、３Ｄコンテンツを視聴するためのメガネ装置と、マルチビューモードを用いるためのメガネ装置とが互いに異なる。即ち、３Ｄコンテンツを視聴するためのメガネ装置は、左眼および右眼の偏光方向が異なり、マルチビューモードを利用するためのメガネ装置は左眼および右眼が偏光方向が互いに同一である。
【００４０】
一方、出力部１３０に含まれたオーディオ出力部は、信号処理部１３０で処理されたオーディオデータを各々異なる無線周波数信号に変調して、各メガネ装置に伝送することもでき、１つのオーディオストリームで構成してインターフェース部１５０を介して各メガネ装置に伝送することができる。１つのオーディオストリームで構成された場合、各メガネ装置は時分割方式で自らに割り当てられたタイムスロットのオーディオデータのみを検出してメガネ装置に設けられたスピーカやイヤホンを通じて出力することができる。
【００４１】
インターフェース部１５０は、メガネ装置と通信を行う。具体的には、インターフェース部１５０は、ブルートゥースやＷｉＦｉ、Ｚｉｇｂｅｅ（登録商標）、ＩＥＥＥ等のような各種無線通信規格に応じてメガネ装置にオーディオ信号や同期化信号等を伝送することができる。または、インターフェース部１５０は、ＩＲ同期化信号を発するＩＲラップまたはＲＦ同期化信号を出力するＲＦトランスメータで実現されてよい。または、インターフェース部１５０は、ディスプレイ装置１００に接続されたメガネ装置からメガネ特性情報を受信することができる。受信されたメガネ特性情報は保存部１６０に保存される。
【００４２】
同期化信号生成部１４０は、出力部１３０から出力される複数のコンテンツビューと複数のメガネ装置を同期化させるための同期化信号を生成してインターフェース部１５０を介して各メガネ装置に伝送する。同期化信号生成部１４０は、メガネ装置とのインターフェース方式に対応するフォーマットで同期化信号を生成することができる。即ち、各種無線通信規格によるデータストリーム、ＲＦ信号、ＩＲ信号等の形態で同期化信号を生成することができる。
【００４３】
保存部１６０は、インターフェース部１５０を介して受信されたメガネ特性情報を保存する。メガネ特性情報とは、業者情報、使用時間情報、メガネ状態情報、光学方式情報、最大駆動周波数情報、ＬＣＤ反応速度情報、光波長帯別の透過度情報、プライマリ／セカンダリ色座表情報等を含んでよい。業者情報とは、メガネ装置名、一連番号、生産会社、生産年度等を含み、使用時間情報とは、メガネ使用時間、バッテリ状態情報等を含む。メガネ状態情報とは、メガネの構造等を意味し、光学方式情報とは、当該メガネ装置が円偏光であるか、線偏光であるか、偏光方向がどの方向であるか等を示す情報を意味する。最大駆動周波数情報とは、メガネ装置を駆動させることができる周波数領域、各周波数別にメガネ特性の劣化具合を示す情報等を含んでよい。ＬＣＤ反応速度情報とは、液晶に駆動波長を印加した時のＬＣＤ反応速度を意味する。光波長帯別の透過度情報とは、メガネを通じて観るとき、波長帯別にどのくらいの減衰が生じるかに対する特性情報を含み、プライマリ／セカンダリ色座表情報とは、プライマリ光源やセカンダリ光源に基づいてメガネを通じて観る時の色座表特性情報を意味する。
【００４４】
保存部１６０は、メガネ特性情報以外に駆動情報も保存してよい。具体的に、駆動情報は、ディレイタイム情報、個別メガネ動作情報、オンデューティ情報、状態情報表示方法等を含む。駆動情報の種類およびその駆動情報を用いる処理過程に対しては、後述の別の実施形態において説明する。
【００４５】
なお、保存部１６０は、各メガネ装置のメガネ特性情報に対応する画質調整値を各メガネ装置のＩＤとマッチさせて保存することもできる。
【００４６】
制御部１７０は、ディスプレイ装置１００の動作全般を制御する。制御部１７０は、ユーザからの選択によってディスプレイ装置１００の動作モードを変更することができる。ユーザは、１つのコンテンツを視聴するシングルビューモード、複数のコンテンツを視聴するマルチビューモード等のように多様な動作モードの何れか１つを選択することができる。シングルビューモードにおいては、２Ｄコンテンツや３Ｄコンテンツのような一つのコンテンツが出力されるが、マルチビューモードでは、複数のコンテンツが上述のように、組み合わせられて複数のコンテンツビューで提供される。マルチビューモードで、１つのコンテンツビューに割り当てられたコンテンツ再生が終了し、次のコンテンツが再生開始されるとしても、コンテンツビューはそのまま保持される。
【００４７】
マルチビューモードは、コンテンツビューの数に応じてデュアルビューモードやトリプルビューモード、クワドループルビューモード等のように多様なモードを含んでよい。以下においては、このようなモードを通称してマルチビューモードという。制御部１７０は、シングルビューモードに応じて動作する途中にユーザがモード切り替え命令を入力すると、複数のコンテンツを組み合わせて出力するように出力部１３０を制御する。マルチビューモードに切り替えられると、制御部１７０は同期化信号生成部１４０およびインターフェース部１５０を制御して各コンテンツにタッチする各メガネ装置に同期化信号を伝送する。
【００４８】
制御部１７０は、保存部１６０に保存されたメガネ特性情報に応じて映像フレームを構成するように、信号処理部１２０を制御する。制御部１７０は、メガネ装置がペアリングされると、メガネ特性情報を伝送するように、当該メガネ装置に要求し、要求に応じてメガネ特性情報が伝送されると、保存部１６０に保存する。仮に、ペアリングされたメガネ装置のメガネ特性情報が予め保存部１６０に保存された状態であれば、制御部１７０は保存されたメガネ特性情報をそのまま利用することもできる。
【００４９】
具体的には、制御部１７０は、メガネ装置の業者情報や光学方式情報を用いて当該メガネ装置およびディスプレイ装置間のマッチが可能かをチェックし、サポートする。マッチが不可なメガネ装置なら、制御部１７０は当該メガネ装置とのペアリングを許容しない。なお、制御部１７０は、使用時間情報を用いてメガネ装置の使用時間を把握し、メガネ装置のＬＣＤおよびフィルタの時間の経過に伴う劣化を補償する基準として使用されてよい。即ち、制御部１７０は、時間の経過に伴うＬＣＤおよびフィルタの特性劣化を補償するために、光源の波長および強度を調整するように出力部１３０を制御する。
【００５０】
なお、制御部１７０は、保存部１６０に保存された駆動情報に応じて同期化信号の周波数、デューティ等を調整して各メガネ装置に伝送するように、同期化信号生成部１４０およびインターフェース部１５０を制御する。
【００５１】
一方、ディスプレイ装置は、通常、製品出荷時にユーザが好む色温度に合わせて出荷される。それは、ユーザが最適の画質を視聴できるようにするが、現在までは出荷時に１回合わせられるプロセスを経てきた。その後に、メガネ装置が変わると、それを合わせる作業が必要である。このような作業は、ユーザが直接行うことは困難であった。従って、制御部１７０は、メガネ特性情報を用いてメガネ装置およびディスプレイ装置間のホワイトバランスを取るように信号処理部１２０を制御することができる。なお、制御部１７０は、特定光に対する透過特性に応じて、Ｒ、Ｇ、Ｂ、Ｃ、Ｍ、Ｙ、Ｋ等の色座表を保存し、色帯域マッピング作業を行うように、信号処理部１２０を制御することができる。このように、制御部１７０は、メガネ特性情報を用いて映像フレームのホワイトバランス、コントラスト、輝度、カラー、光波長、光強度等を調整するように、信号処理部１２０および出力部１３０を制御してディスプレイ装置およびメガネ装置の特性を合わせる。
【００５２】
なお、制御部１７０は、保存部１６０に保存された駆動情報を用いて複数のコンテンツの映像フレームを組み合わせるように、信号処理部１２０を制御する。そして、同期信号のライジングエッジ（Ｒｉｓｉｎｇ  ｅｄｇｅ）またはフォーリングエッジ（Ｆａｌｌｉｎｇ  ｅｄｇｅ）を基準として各メガネ装置にマッチするシャッタグラスオープンタイミングまでのディレイタイム、デューティ比等を定めて、同期化信号を生成するように、同期化信号生成部１４０を制御する。
【００５３】
以上のように、制御部１７０は、保存部１６０に保存された各種情報を用いて最適の画質のコンテンツビューを提供することができる。マルチビューモードで提供されるコンテンツは、複数の２Ｄコンテンツであってよく、複数の３Ｄコンテンツであってよい。
【００５４】
図２は、本発明の一実施形態に係るディスプレイシステムの動作を示す図である。図２によると、ディスプレイシステムは、ディスプレイ装置および少なくとも１つのメガネ装置を含む。
【００５５】
ディスプレイ装置１００は、マルチビューモードが開示されると、複数のコンテンツを受信し、各コンテンツの映像フレームを組み合わせて複数のコンテンツビューをディスプレイする。
【００５６】
メガネ装置２１０、２２０は、複数のコンテンツビューのうち、マッチするコンテンツビューの出力タイミングに同期化して駆動される。
【００５７】
ディスプレイ装置１００は、各メガネ装置２１０、２２０のメガネ特性情報を用いて、各メガネ装置２１０、２２０にマッチするコンテンツビューのコンテンツを処理する。
【００５８】
具体的には、図２においては、複数の３Ｄコンテンツを受信してディスプレイする場合を示す。図２によると、ディスプレイ装置１００の出力部１３０は、複数の３Ｄコンテンツを構成する各々の左眼映像および右眼映像を含む複数のコンテンツビュー１０を画面上にディスプレイする。各コンテンツビュー１０は、画面の大きさの映像フレームを含む。
【００５９】
ディスプレイ装置１００は、各左眼映像および右眼映像の出力タイミングに異なる３Ｄメガネ装置を同期化させる同期化信号を伝送する。各メガネ装置２１０、２２０は、同期化信号が受信されると、自らのメガネ装置情報に対応するディスプレイタイミングを確認し、確認されたディスプレイタイミングに応じて左眼シャッタグラスおよび右眼シャッタグラスをオンまたはオフさせることができる。
【００６０】
各３Ｄコンテンツの左眼映像フレームおよび右眼映像フレームは、予め設定された配置パターンに応じて複数のコンテンツビューに配置されて表示されてよい。
【００６１】
具体的に、図２によると、メイン３Ｄコンテンツの左眼映像ＭＬ１がコンテンツビュー１に表示され、サブ３Ｄコンテンツの左眼映像ＳＬ１はコンテンツビュー２に表示され、メイン３Ｄコンテンツの右眼映像ＭＲ１はコンテンツビュー３、サブ３Ｄコンテンツの右眼映像ＳＲ１はコンテンツビュー４に表示される。
【００６２】
メイン３Ｄコンテンツを視聴する第１メガネ装置２１０においては、メイン３Ｄコンテンツの左眼映像ＭＬ１がディスプレイされる際、左眼グラスをターンオンさせ、右眼グラスはターンオフさせ、メイン３Ｄコンテンツの右眼映像ＭＲ１がディスプレイされる際、右眼グラスをターンオンさせ、左眼グラスはターンオフさせる。一方、サブ３Ｄコンテンツの左眼映像ＳＬ１および右眼映像ＳＲ１がディスプレイされる際には、第１メガネ装置２１０は左眼グラスおよび右眼グラスのいずれかもをターンオフさせる。第２メガネ装置２２０は第１メガネ装置とは逆に、メイン３Ｄコンテンツの左眼映像ＭＬ１および右眼映像ＭＲ１がディスプレイされる際、左眼グラスおよび右眼グラスのいずれもをターンオンさせる。それにより、第１メガネ装置２１０を着用したユーザはメイン３Ｄコンテンツを視聴し、第２メガネ装置２２０を着用したユーザはサブ３Ｄコンテンツを視聴することができる。
【００６３】
ディスプレイ装置１００は、第１メガネ装置２１０のメガネ特性情報に応じてメイン３Ｄコンテンツを処理し、その画質やその他の出力特性等を調整する。なお、第２メガネ装置２２０のメガネ特性情報に応じてサブ３Ｄコンテンツを処理し、その画質やその他の出力特性等を調整する。
【００６４】
メガネ特性情報は、各メガネ装置２１０、２２０がペアリングされる際、またはその後に、各メガネ装置２１０、２２０から受信することもでき、以前に保存された情報がある場合には、その情報をそのまま活用することもできる。
【００６５】
図３は、本ディスプレイシステムにおいて、複数の２Ｄコンテンツを受信してディスプレイする動作を示す図である。図３によると、コンテンツビュー１および２では、異なるコンテンツの映像フレームが表示される。メガネ装置２１０、２２０は、対応するコンテンツビューが出力されるタイミングに左眼および右眼グラスを一括してオープンさせる。図３によると、第１メガネ装置２１０はコンテンツビュー１を視聴し、第２メガネ装置２００はコンテンツ２を視聴することができる。
【００６６】
ディスプレイ装置１００は、各メガネ装置２１０、２２０のペアリング順に応じてコンテンツビューをマッチさせる。仮に、２つのコンテンツビューを提供するデュアルビューモードで、第１メガネ装置２１０が先にペアリングされている場合、コンテンツビュー１をマッピングさせ、第２メガネ装置２２０がその後にペアリングされると、コンテンツビュー２をマッピングさせる。そして、各メガネ装置２１０、２２０のメガネ特性情報に応じてコンテンツビュー１および２に表示される映像フレームの画質を調整する。
【００６７】
図４は、複数の３Ｄコンテンツに対応するコンテンツビュー構成方法を説明するための図である。図４によると、２つの３Ｄコンテンツの各々の左眼映像および右眼映像が１つのフレーム表示周期内に配置されて表示される。従って、出力フレームレートが６０Ｈｚであれば、各３Ｄコンテンツの左眼映像および右眼映像のフレームレートは２４０Ｈｚに変換されて組み合わせられる。図４においては、図２と違って、ＭＬ１、ＭＲ１、ＳＬ１、ＳＲ１のようなパターンでコンテンツビューが構成される。即ち、メイン３Ｄコンテンツの左眼および右眼映像が先に表示された後、サブ３Ｄコンテンツの左眼および右眼が表示される。各映像フレームが表示されるためには、ディスプレイ装置１００はディスプレイパネルの各アドレス電極にアドレス信号を印加し、映像フレームの各ピクセルに対応するセルを選択するスキャン作業を行い、スキャンが完了すると、各セルに接続された駆動電極に駆動信号を印加し、当該映像フレームをディスプレイする。このようなスキャン作業およびディスプレイ作業は、毎コンテンツビュー毎に行われる。
【００６８】
図５は、複数の２Ｄコンテンツに対応するコンテンツビュー構成方法を説明するための図である。図５によると、４つのコンテンツＣ１、Ｃ２、Ｃ３、Ｃ４が４つのコンテンツビュー内に各々表示される。図５は、図４に比べてコンテンツの数および配置形態のみが異なっているため、繰り返し説明は省略する。
【００６９】
図６は、複数の３Ｄコンテンツをディスプレイするマルチビューモードでメガネ装置がターンオフされた時の処理方法を説明するための図である。図６においては、サブ３Ｄコンテンツを視聴中であったユーザが着用した第２メガネ装置２２０がターンオフされた状態を示す。ディスプレイ装置１００の制御部１７０は、第２メガネ装置２２０にマッチするコンテンツビュー３、４に該当する位置に非活性画面を挿入するように、信号処理部１２０を制御する。ここで、非活性画面とは、ブラックやブルー等のように単色で処理された画面であってよく、バックライトまたはディスプレイ素子そのものをターンオフさせた画面であってよい。
【００７０】
図７は、複数の２Ｄコンテンツをディスプレイするマルチビューモードでメガネ装置がターンオフされた時の処理方法を説明するための図である。図７においては、４つのコンテンツビューを提供するクワドループルビューモードで三番目のコンテンツビューを視聴していたメガネ装置がターンオフされた場合、コンテンツビュー３の位置に非活性画面を挿入している様子を示す。
【００７１】
マルチビューモードで１つのメガネ装置を着用した視聴者が席を外す場合、モード切り替えを行うこともできるが、少しの間席を外してから復帰する度に、モード切り替えを行うと、手間がかかってしまう。従って、視聴者が席を外すと、別途のモード切り替え命令がある場合でなければ、図６および図７に示すように、その視聴者が観ていたコンテンツビューを非活性処理して消耗電力を減らすことができる。
【００７２】
図８は、本発明の一実施形態に係るメガネ装置の構成を示すブロック図である。図８に示すメガネ装置は、シャッタグラス方式によるものである。図８によると、メガネ装置２１０は、第１および第２シャッタグラス部２１１、２１２、シャッタグラス駆動部２１３と、制御部２１４と、保存部２１５およびインターフェース部２１６を含む。
【００７３】
インターフェース部２１６は、ディスプレイ装置と通信を行う。インターフェース部２１６は、多様な通信方式を利用することができる。例えば、ブルートゥースやＷｉＦｉ、Ｚｉｇｂｅｅ（登録商標）、ＩＥＥＥ等のような各種無線通信規格や、ＲＦ信号送受信やＩＲ信号送受信方式で通信を行うこともできる。
【００７４】
インターフェース部２１６は、ディスプレイ装置１００から同期化信号を受信することができる。同期化信号とは、ディスプレイ装置１００に表示される複数のコンテンツビューのうちの１つのコンテンツビューとメガネ装置２１０を同期化させるために伝送される信号である。
【００７５】
制御部２１４は、メガネ装置２１０の動作全般を制御する。制御部２１４は、ディスプレイ装置１００との間にペアリングを行うことができる。ペアリングが行われる間、または実行が完了した後に、制御部２１４は保存部２１５に保存されたメガネ特性情報をインターフェース部２１６を介してディスプレイ装置１００に伝送することができる。それにより、メガネ特性情報に対応する画質処理が行われたコンテンツビューを視聴することができる。
【００７６】
なお、制御部２１４は、インターフェース部２１６から受信された同期化信号をシャッタグラス駆動部２１３に伝達し、シャッタグラス駆動部２１３の動作を制御する。
【００７７】
シャッタグラス駆動部２１３は、制御部２１４から受信された同期化信号に基づいて駆動信号を生成する。具体的には、シャッタグラス駆動部２１３は同期化信号に基づいて、ディスプレイ装置１００でディスプレイされる複数のコンテンツビューのうちの１つのコンテンツビューのディスプレイタイミングに応じて、第１シャッタグラス部２１１および第２シャッタグラス部２１２をオンさせることができる。
【００７８】
第１シャッタグラス部２１１および第２シャッタグラス部２１２は、シャッタグラス駆動部２１３から受信された駆動信号に応じてシャッタグラスをオンまたはオフさせる。具体的に、第１シャッタグラス部２１１および第２シャッタグラス部２１２は、複数のコンテンツビューのうち、メガネ装置２１０にマッピングするコンテンツビューがディスプレイされる際に同時にオープンされ、他のコンテンツがディスプレイされる際に同時にオフされる。それにより、メガネ装置２１０を着用したユーザは、１つのコンテンツビューに割り当てられたコンテンツを視聴することができる。
【００７９】
一方、複数の３Ｄコンテンツを提供するマルチビューモードである場合には、第１シャッタグラス部２１１および第２シャッタグラス部２１２は、メガネ装置２１０にマッチしている３Ｄコンテンツの左眼映像および右眼映像が出力されるタイミングに同期化して個別にオープンされてよい。即ち、シャッタグラス駆動部２１３は、駆動信号に応じて１つの３Ｄコンテンツを構成する左眼映像がディスプレイされるタイミングで第１シャッタグラス部２１１を開放し、右眼映像がディスプレイされるタイミングで第２シャッタグラス部２１２を開放することができる。
【００８０】
図９は、本発明の多様な実施形態に係るディスプレイ方法を説明するためのフローチャートである。図９によると、マルチビューモードが開始されると、複数のコンテンツを受信し（Ｓ９１０）、各メガネ装置からメガネ特性情報を受信する（Ｓ９２０）。
【００８１】
そして、受信されたメガネ特性情報に応じて各コンテンツを処理して映像フレームを構成し（Ｓ９３０）、構成された映像フレームを組み合わせて複数のコンテンツビューをディスプレイする（Ｓ９４０）。映像フレームを構成するステップは、各コンテンツの映像データを検出するステップと、映像データをデコードして映像フレームを構成するステップと、メガネ特性情報に応じて各コンテンツの映像フレームのホワイトバランス、コントラスト、輝度、カラー、光強度、光波長のうち、少なくとも何れか１つを調整するステップを含んでよい。
【００８２】
そして、図９には示していないが、本方法は、複数のメガネ装置とペアリングを行うステップと、ペアリング順に応じて複数のメガネ装置と複数のコンテンツビューを順次にマッチするステップを更に含んでよい。
【００８３】
一方、メガネ特性情報が予め保存されている場合には、保存されたメガネ特性情報を使うこともできる。メガネ特性情報に対しては、既に説明済みであるため、繰り返し説明は省略する。
【００８４】
図１０は、本発明の別の実施形態に係るディスプレイ方法を説明するためのフローチャートである。図１０によると、マルチビューモードが開始されると（Ｓ１０１０）、複数のコンテンツを受信する（Ｓ１０２０）。このような状態でペアリングされたメガネ装置が存在していない場合（Ｓ１０３０）、ペアリングを行う（Ｓ１０４０）。ペアリングされたメガネ装置が存在したり（Ｓ１０３０）、メガネ装置とのペアリングが行われると（Ｓ１０４０）、ペアリングされたメガネ装置からメガネ特性情報を受信して保存する（Ｓ１０５０）。そして、コンテンツビューおよびメガネ装置をマッチさせる（Ｓ１０６０）。マッチは、ペアリング過程において、メガネ装置で選択したコンテンツビューと当該メガネ装置との間に行われてよく、ペアリング順に応じて各コンテンツビューの順に順次にマッチされてよい。
【００８５】
そして、各コンテンツビューに対応するコンテンツを当該コンテンツビューにマッチしているメガネ装置のメガネ特性情報に応じて処理して映像フレームを構成し（Ｓ１０７０）、同期化信号を伝送しつつ（Ｓ１０８０）、各コンテンツの映像フレームを組み合わせて複数のコンテンツビューをディスプレイする（Ｓ１０９０）。
【００８６】
その後に、メガネ装置が変更されると（Ｓ１１００）、メガネ特性情報が予め保存されていた既存のメガネ装置であるか否かを判断する（Ｓ１１１０）。判断の結果、既存のメガネ装置であれば、コンテンツビューと当該メガネ装置をマッチし（Ｓ１０６０）、そのメガネ特性情報を用いてコンテンツを処理する（Ｓ１０７０）。既存のメガネ装置ではない、新規のメガネ装置である場合には、新たにペアリングを行い（Ｓ１０３０、Ｓ１０４０）、メガネ特性情報を要求して新たに受信して保存する（Ｓ１０５０）。それにより、新たに受信されたメガネ特性情報を用いてコンテンツを処理する（Ｓ１０７０）。図１０に示す各ステップは、多様な実施形態に応じて一部省略されたり、追加または変更されてよい。
【００８７】
以上のように、本発明の多様な実施形態によると、各メガネ装置の特性に合わせてメガネ装置の駆動状態を補正したり、画質を調整することができるため、最適の画質を提供することができる。
【００８８】
一方、上述の多様な実施形態においては、メガネ特性情報を用いてコンテンツを処理する方式について説明したが、同期信号もディスプレイ装置およびメガネ装置に合わせて生成して提供することができる。
【００８９】
即ち、図１のディスプレイ装置１００で保存部１６０は、メガネ特性情報以外に駆動情報も併せて保存することができる。
【００９０】
上述のように、駆動情報とは、ディスプレイ装置１００のディスプレイパネル駆動方式に対する情報、ディレイタイム情報、個別メガネ動作情報、オンデューティ値情報、状態情報表示方法等を含んでよい。ディスプレイパネル上に映像フレームをディスプレイするためには、ディスプレイパネルの各液晶セルに対してスキャン作業を行った後、駆動信号を印加してディスプレイする作業を行わなければならない。ここで、スキャン作業方式と、スキャンタイミング、ディスプレイタイミング等が変わってよい。ディレイタイム情報とは、ディスプレイ情報１００で駆動されるイメージに合わせてメガネで駆動される周波数を伝達する際、シンクを基準としてディレイされるべき時間を示す情報である。個別メガネ動作情報とは、各メガネ装置毎に異なる駆動方式を定義した情報である。オンデューティ値情報とは、左眼および右眼が交互に駆動される際、メガネをオンさせるタイムを指定する情報であり、状態情報表示方法とは、各製品または各製造メーカ毎に異なるプロトコルを反映してパワーオン、ペアリング、パワーオフ、誤作動等の状態を表示する方法を示す情報である。
【００９１】
本実施形態によると、制御部１７０は、マルチビューモードが開始されると、保存部１６０に保存された駆動情報およびメガネ特性情報を用いて複数のコンテンツビューと複数のメガネ装置を同期化させるための同期化信号を生成して各メガネ装置に伝送するように、同期化信号生成部１４０およびインターフェース部１５０を制御する。
【００９２】
図１１は、３Ｄデュアルビューモードの第１駆動方式を説明するための図である。図１１によると、ディスプレイ装置１００は発光効率を高めるために、偶数（Ｅｖｅｎ）ラインと奇数（Ｏｄｄ）ラインに区分して２回のスキャンを行うことができる。即ち、ピクチャ１の左眼映像の偶数ラインをスキャンした後、その偶数ラインをディスプレイする間、当該左眼映像の奇数ラインに対するスキャン作業を行う。そして、スキャンされた奇数ラインをディスプレイする間、ピクチャ１の右眼映像の偶数ラインをスキャンする。ディスプレイパネルの奇数ラインと偶数ラインとを区分して、スキャンおよびディスプレイ作業を交互に実施するため、スキャンにより費やされる待機時間を減らし、ディスプレイ時間を増やすことができる。
【００９３】
制御部１７０は、図１１のような駆動方式でスキャン作業およびディスプレイ作業を行うように、信号処理部１２０および出力部１３０を制御し、このようなディスプレイ区間に符合するようにディレイタイム、オンデューティ比等を決定して同期化信号を生成するように同期化信号生成部１４０を制御する。
【００９４】
図１１によると、ピクチャ１の左眼映像の偶数ラインおよび奇数ラインが順次にディスプレイされる間、第１メガネ装置２１０の左眼グラスをオープンさせ、右眼映像の偶数ラインおよび奇数ラインが順次にディスプレイされる間、第２メガネ装置２２０の右眼グラスをオープンさせるように、オンデューティ比を２５％に定める。そして、同期化信号（ｓｙｎｃ）のライジングエッジから左眼映像ディスプレイが開始される時点までの所要時間であるｔ１と、その時点から右眼映像ディスプレイが開始される時点までの所要時間であるｔ２を決定することができる。なお、制御部１７０は、第２メガネ装置２２０のディレイタイムおよびオンデューティ比等も決定することができる。それにより、制御部１７０は、各ディレイタイム（ｔ１、ｔ２、ｔ３、ｔ４）、オンデューティ比等の駆動制御情報を含む同期化信号を生成して各メガネ装置２１０、２２０に伝送するように、同期化信号生成部１４０およびインターフェース部１５０を制御してよい。
【００９５】
図１２は、３Ｄデュアルビューモードの第２駆動方式を説明するための図である。図１２によると、一番目の３Ｄコンテンツであるピクチャ１の左眼映像がディスプレイパネルにディスプレイされる間、ピクチャ１の右眼映像に対するスキャン作業が行われる。即ち、別途に設けられた追加バッファに対して右眼映像のデータをフレーム単位で記録する。左眼映像のディスプレイが完了すると、バッファに記録された右眼映像のデータを用いて右眼映像に対するディスプレイ作業が行われる。右眼映像がディスプレイされている間には、二番目の３Ｄコンテンツであるピクチャ２の左眼映像に対するスキャン作業が行われる。
【００９６】
図１２の場合にも、４つのコンテンツビューが提供されるため、オンデューティ比は２５％に定められ、各シャッタグラスのオン区間を指示するためのディレイタイムｔ１、ｔ２、ｔ３、ｔ４がオンデューティ比情報とともに同期化信号に提供される。
【００９７】
図１３および図１４は、毎フレームを偶数ラインおよび奇数ラインに区分し、区数回スキャンしてディスプレイする２Ｄマルチビューモードの第１駆動方式の多様な例を説明するための図である
図１３は、２つのコンテンツを偶数ラインおよび奇数ラインに区分し、１回ずつディスプレイする場合を示す。それにより、５０％のオンデューティ比情報と、ｔ１、ｔ２ディレイライム情報が同期化信号に含まれて伝送さえる。
【００９８】
図１４は、２つのコンテンツを偶数ラインおよび奇数ラインに区分し、２回ずつディスプレイする場合を示す。即ち、図１４によると、ピクチャ１の偶数ラインおよび奇数ラインが１回ずつスキャン、ディスプレイされた後にピクチャ２の偶数ラインおよび奇数ラインが１回ずつスキャン、ディスプレイされ、再びピクチャ１の偶数ラインおよび奇数ラインが１回ずつスキャン、ディスプレイされる。このように、各ピクチャのフレームが２回ずつディスプレイされると、解像度がより向上することができる。図１４においては、ディスプレイ装置は２５％でシャッタグラスをオンさせるようにするオンデューティ比情報とｔ１、ｔ２、ｔ３、ｔ４のようなディレイタイム情報を同期化信号に含めて伝送する。
【００９９】
図１５および図１６は、フレーム単位でスキャンしてディスプレイする２Ｄデュアルビューモードの第２駆動方式の多様な例を説明するための図である。
【０１００】
図１５においては、２つの２Ｄコンテンツが全フレーム単位で１回ずつスキャンおよびディスプレイされる場合を示す。それにより、５０％のオンデューティ比情報、ｔ１、ｔ２のディレイタイム情報が同期化信号に含まれて伝送される。
【０１０１】
図１６においては、２つの２Ｄコンテンツが全フレーム単位で２回ずつスキャンおよびディスプレイされる場合を示す。それにより、２４％のオンデューティ比情報、ｔ１、ｔ２、ｔ３、ｔ４のディレイタイム情報が同期化信号に含まれて伝送される。
【０１０２】
図１７および図１８は、毎フレームを偶数ラインおよび奇数ラインに区分し、複数回スキャンしてディスプレイする２Ｄトリプルビューモードの第１駆動方式の多様な例を説明するための図である。
【０１０３】
図１７によると、３つの２Ｄコンテンツが各々偶数ラインおよび奇数ラインに区分され、順次にスキャンおよびディスプレイされる。それにより、計３つのコンテンツビューが提供され、オンデューティ比は３３％に設定される。そして、ｔ１、ｔ２、ｔ３のような３つのディレイタイム情報が算出される。
【０１０４】
図１８によると、３つの２Ｄコンテンツが各々偶数ラインおよび奇数ラインに区分され、順次にスキャンおよびディスプレイされ、もう一度順次にスキャンおよびディスプレイされる。即ち、各コンテンツのフレームが２回ずつディスプレイされる。それにより、オンデューティ比は１７％に設定される。そして、ｔ１、ｔ２、ｔ３、ｔ４、ｔ５、ｔ６のような６つのディレイタイム情報が算出される。
【０１０５】
図１９および図２０は、フレーム単位でスキャンしてディスプレイする２Ｄトリプルビューモードの第２駆動方式の多様な例を説明するための図である。
【０１０６】
図１９によると、３つの２Ｄコンテンツをフレーム単位で１回ずつスキャンおよびディスプレイされ、それに合わせてオンデューティ比は３３％に設定され、ｔ１、ｔ２、ｔ３のような３つのディレイタイム情報が算出される。
【０１０７】
図２０によると、３つの２Ｄコンテンツはフレーム単位で１回ずつスキャンおよびディスプレイされた後に、もう一度順次にスキャンおよびディスプレイされてよい。この場合、オンデューティ比は１７％に設定され、ｔ１、ｔ２、ｔ３、ｔ４、ｔ５、ｔ６のような６つのディレイタイム情報が算出される。
【０１０８】
図２１は、４つの２Ｄコンテンツが各々偶数ラインおよび奇数ラインに区分され、スキャンおよびディスプレイされる状態を示す。図２１によると、オンデューティ比は２５％に設定され、ｔ１、ｔ２、ｔ３、ｔ４のような４つのディレイタイム情報が算出される。
【０１０９】
図２２は、４つの２Ｄコンテンツがフレーム単位で１回ずつスキャンおよびディスプレイされる状態を示す。図２２によると、オンデューティ比は２５％に設定され、ｔ１、ｔ２、ｔ３、ｔ４のような４つのディレイタイム情報が算出される。
【０１１０】
図２３および図２４は、同期化信号の伝送方法の多様な例を示す図である。
【０１１１】
図２３によると、同期化信号は複数の同期化周期で区分される。各同期化周期は、同期化情報を示すパルスのライジングエッジ（Ｒｉｓｉｎｇ  ｅｄｇｅ）またはフォーリングエッジ（Ｆａｌｌｉｎｇ  ｅｄｇｅ）によって区分される。
【０１１２】
同期化信号生成部１４０は、毎同期化周期毎に各メガネ装置の固有情報、各メガネ装置の駆動状態を制御するための駆動制御情報を含む同期化信号を生成してインターフェース部１５０を介して伝送することができる。固有情報とは、メガネ装置のＩＤであってよい。上述のように、駆動制御情報とは、駆動方法に対する情報、ディレイタイム、オンデューティ比情報等であってよい。駆動方法に対する情報とは、上述のように、偶数ラインおよび奇数ラインに区分されてスキャンおよびディスプレイされるタイプであるか、フレーム単位でスキャンおよびディスプレイされるタイプであるかを報知するための情報であってよい。同期化信号には、ディスプレイ装置１００にペアリングされた全メガネ装置の固有情報と、それにマッチする駆動制御情報が全て含まれてよい。その他に、同期化信号には、多様な必要情報または付加情報が更に含まれてよい。
【０１１３】
図２４は、最初の同期化周期に各メガネ装置の固有情報および駆動制御情報等を伝送し、その後の同期化周期に同期化信号のみを伝送する例を示す。このように、データ伝送量に負担がかかる場合には、図２４のように、初期に駆動に必要な各種情報を伝送し、その後に同期化信号、即ち、ｓｙｎｃだけ伝送することができる。各メガネ装置は、初期に伝送された各種情報を個別メモリに保存し、その後に伝送される同期化信号に合わせて動作することができる。
【０１１４】
一方、複数の３Ｄコンテンツをディスプレイするマルチビューモードで一つのメガネ装置がターンオフされると、制御部１７０は、当該メガネ装置にマッチするコンテンツビューの位置に非活性画面を挿入するように、信号処理部１２０を制御することもできる。マルチビューモードで一つのメガネ装置を着用した視聴者が席を外す場合、モード切り替えを行うこともできるが、少しの間席を外してから復帰する度にモードを切り替えると、手間がかかってしまう。従って、視聴者が席を外すと、別途のモード切り替え命令がある場合でなければ、該視聴者が観ていたコンテンツビューを非活性処理して消耗電力を減らすことができる。
【０１１５】
本実施形態に係るディスプレイ装置１００についても、図８のような構成とメガネ装置を用いて視聴することができる。それにより、ディスプレイ装置１００で、メガネ特性情報および駆動情報を考慮して生成した同期化信号を伝送すると、メガネ装置２１０の制御部２１４は、インターフェース部２１６を介して同期化信号を受信する。
【０１１６】
制御部２１４は、インターフェース部２１６から受信された同期化信号をシャッタグラス駆動部２１３に伝達し、シャッタグラス駆動部２１３の動作を制御する。上述のように、同期化信号には、メガネ装置２１０の固有情報、オンデューティ比情報や、ディレイタイム等のような駆動制御情報が含まれてよい。制御部２１４は、各固有情報のうち、当該メガネ装置２１０に符合する駆動制御情報を検出することができる。そして、制御部２１４は、検出された駆動制御情報に応じて、第１および第２シャッタグラス２１１、２１２を駆動させるように、シャッタグラス駆動部２１３を制御する。
【０１１７】
シャッタグラス駆動部２１３は、制御部２１４の制御により、駆動信号を生成する。具体的には、シャッタグラス駆動部２１３は同期化信号のライジングエッジまたはフォーリングエッジからディレイタイムの後に、第１シャッタグラス部２１１および第２シャッタグラス部２１２を１つずつ、または同時にオンさせることができる。
【０１１８】
それにより、マルチビューモードでメガネ装置２１０にマッチするコンテンツビューを効果的に視聴することができるようになる。
【０１１９】
図２５は、本発明の一実施形態に係るディスプレイ方法を説明するためのフローチャートである。図２５によると、マルチビューモードが開始されると、複数のコンテンツを受信し（Ｓ２０１０）、予め保存された駆動情報に応じてコンテンツを処理して複数のコンテンツビューをディスプレイする（Ｓ２０２０）。そして、駆動情報を用いてコンテンツビューのディスプレイ特性に符合する同期化信号を生成し（Ｓ２０３０）、生成された同期化信号を各メガネ装置に伝送する（Ｓ２０４０）。コンテンツビューのディスプレイ方式および同期化信号の特性については、上述の多様な実施形態において説明しているため、繰り返し説明は省略する。
【０１２０】
図２５には示されていないが、本方法は、複数のメガネ装置とペアリングを行うステップと、ペアリング順に応じて複数のメガネ装置と複数のコンテンツビューを順次にマッチするステップを更に含んでよい。
【０１２１】
以上のように、本発明の多様な実施形態によると、ディスプレイ装置の駆動特性およびメガネ装置のメガネ特性情報等のような多様な情報を考慮してコンテンツを処理することができ、各メガネ装置を同期化させることもできる。
【０１２２】
上述の実施形態は、個別に実現されてよいが、互いに組み合わせられて実現されてよい。即ち、メガネ特性情報に合わせてコンテンツを処理してディスプレイしつつ、それとともに、ディスプレイ装置の駆動情報まで考慮して同期信号を生成した後、メガネ装置に提供することができる。それにより、コンテンツ視聴環境を最適な状態で提供することができる。
【０１２３】
上述の多様な実施形態に係るディスプレイ方法は、アプリケーションでプログラミングされてディスプレイ装置およびメガネ装置等に提供することができる。
【０１２４】
具体的には、複数のコンテンツを受信するステップと、複数のメガネ装置からメガネ特性情報を受信するステップと、複数のコンテンツを各メガネ装置のメガネ特性情報に応じて処理して映像フレームを構成するステップと、各コンテンツの映像フレームを組み合わせて複数のコンテンツビューをディスプレイするステップとを順次に行うためのプログラムが保存された非一時的に読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）がディスプレイ装置に搭載されたり、ディスプレイ装置に接続されて使用されてよい。このようなプログラムは、ウェブサーバや管理サーバ等のような多様なソースからダウンロードしてよい。
【０１２５】
なお、複数のコンテンツを受信するステップと、複数のコンテンツを各々処理して映像フレームを構成し、各コンテンツの映像フレームを組み合わせて複数のコンテンツビューをディスプレイするステップと、予め保存された駆動情報およびメガネ特性情報を用いて複数のコンテンツビューと複数のメガネ装置を同期化させるための同期化信号を生成するステップと、同期化信号を各メガネ装置に伝送するステップとを順次に行うためのプログラムが非一時的に読み取り可能な媒体またはネットワークを通じてディスプレイ装置に提供されてよい。
【０１２６】
上述の非一時的に読み取り可能な媒体とは、レジスタやキャッシュ、メモリ等のように短い間、データを保存する媒体ではなく、半永久的にデータを保存し、機器による読み取り（ｒｅａｄｉｎｇ）が可能な媒体を意味する。具体的に、上述の多様なアプリケーションまたはプログラムは、ＣＤやＤＶＤ、ハードディスク、ブルーレイディスク、ＵＳＢ、メモリカード、ＲＯＭ等のような非一時的に読み取り可能な媒体に保存して提供されてよい。
【０１２７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１２８】
１１０−１  受信部１
１１０−２  受信部２
１１０−ｎ  受信部ｎ
１２０  信号処理部
１３０  出力部
１４０  同期化信号生成部
１５０  インターフェース部
１６０  保存部
１７０  制御部
２１１  第１シャッタグラス部
２１２  第２シャッタグラス部
２１３  シャッタグラス駆動部
２１４  制御部
２１５  保存部
２１６  インターフェース部
【図１】
2013141224.tif 000003
【図２】
2013141224.tif 000004
【図３】
2013141224.tif 000005
【図４】
2013141224.tif 000006
【図５】
2013141224.tif 000007
【図６】
2013141224.tif 000008
【図７】
2013141224.tif 000009
【図８】
2013141224.tif 000010
【図９】
2013141224.tif 000011
【図１０】
2013141224.tif 000012
【図１１】
2013141224.tif 000013
【図１２】
2013141224.tif 000014
【図１３】
2013141224.tif 000015
【図１４】
2013141224.tif 000016
【図１５】
2013141224.tif 000017
【図１６】
2013141224.tif 000018
【図１７】
2013141224.tif 000019
【図１８】
2013141224.tif 000020
【図１９】
2013141224.tif 000021
【図２０】
2013141224.tif 000022
【図２１】
2013141224.tif 000023
【図２２】
2013141224.tif 000024
【図２３】
2013141224.tif 000025
【図２４】
2013141224.tif 000026
【図２５】
2013141224.tif 000027